(57)【特許請求の範囲】
【請求項１】
第１の画像処理装置と第２の画像処理装置とを含む画像処理システムであって、
前記第１の画像処理装置は、
ユーザがユーザＩＤを入力可能な操作入力手段と、
前記操作入力手段より入力されたユーザＩＤと、前記第１の画像処理装置に記憶されているユーザＩＤとを照合する第１のユーザＩＤ照合手段と、
前記第１のユーザＩＤ照合手段による照合が成功した場合、前記ユーザによる前記第１の画像処理装置の使用を許可し、前記第１のユーザＩＤ照合手段による照合が成功しなかった場合、前記ユーザによる前記第１の画像処理装置の使用を制限する第１の制御手段と、
前記操作入力手段により入力された前記ユーザＩＤを、前記第２の画像処理装置に送信するユーザＩＤ送信手段と、
画像を入力する画像入力手段と、
前記画像入力手段により入力された画像に基づく画像データを前記第２の画像処理装置に送信する画像データ送信手段と、
を備え、
前記第２の画像処理装置は、
前記第１の画像処理装置から送信された前記ユーザＩＤを受信する受信手段と、
前記受信手段により受信したユーザＩＤと、前記第２の画像処理装置に記憶されているユーザＩＤ情報とを照合する第２のユーザＩＤ照合手段と、
を備え、
前記画像処理システムは、前記第２のユーザＩＤ照合手段による照合が成功した場合、前記第１の画像処理装置から送信された画像データに対して前記第２の画像処理装置が画像処理を実行する連携処理を実行し、前記第２のユーザＩＤ照合手段による照合が成功しなかった場合、前記連携処理を実行せず、
前記第１の画像処理装置は、さらに、
前記第１のユーザＩＤ照合手段を有効または無効にする第１の照合制御手段を備え、
前記第２の画像処理装置は、さらに、
前記第２のユーザＩＤ照合手段を有効または無効にする第２の照合制御手段と、
前記第２のユーザＩＤ照合手段の照合結果と前記第２の照合制御手段の状態を前記第１の画像処理装置に送信する照合結果送信手段とを備えることを特徴とする画像処理システム。
【請求項２】
前記第１の画像処理装置の前記画像入力手段は、スキャナによって読み取った原稿の画像を入力することを特徴とする請求項１記載の画像処理システム。
【請求項３】
前記画像処理システムは、前記第１の照合制御手段及び第２の照合制御手段がともにユーザＩＤ照合手段を有効にしている場合には、前記照合結果送信手段によって送信された照合結果と、前記第１のユーザＩＤ照合手段による照合結果とに基づいて前記連携処理の可否を制御することを特徴とする請求項１又は請求項２記載の画像処理システム。
【請求項４】
前記画像処理システムは、前記第１の照合制御手段及び第２の照合制御手段がともにユーザＩＤ照合手段を無効にしている場合には、前記連携処理を実行することを特徴とする請求項１乃至請求項３の何れか１項に記載の画像処理システム。
【請求項５】
前記画像処理システムは、前記第１の照合制御手段が前記第１のユーザＩＤ照合手段を無効にしている場合でかつ前記第２の照合制御手段が前記第２のユーザＩＤ照合手段を有効にしている場合には、前記連携処理を実行しないことを特徴とする請求項１乃至請求項４のいずれか１項に記載の画像処理システム。
【請求項６】
前記画像処理システムは、前記第１の照合制御手段が前記第１のユーザＩＤ照合手段を有効にしている場合でかつ前記第２の照合制御手段が前記第２のユーザＩＤ照合手段を無効にしている場合には、前記連携処理を実行することを特徴とする請求項１乃至請求項５のいずれか１項に記載の画像処理システム。
【請求項７】
前記第１及び第２の画像処理装置は、画像を形成してプリント出力する画像形成装置であることを特徴とする請求項１乃至請求項６のいずれか１項に記載の画像処理システム。
【請求項８】
前記第１の画像処理装置における各ユーザＩＤ毎のプリント量を記憶する第１のプリント量記憶手段と、
前記第２の画像処理装置における各ユーザＩＤ毎のプリント量を記憶する第２のプリント量記憶手段と、
前記第１の照合制御手段が有効な場合、使用しているユーザＩＤ毎に第１のプリント記憶手段にプリント量をカウントアップする第１のカウントアップ手段と、
前記第２の照合制御手段が有効な場合、使用しているユーザＩＤ毎に第２のプリント記憶手段にプリント量をカウントアップする第２のカウントアップ手段とを有することを特徴とする請求項７記載の画像処理システム。
【請求項９】
前記連携処理は、前記第１の画像処理装置と前記第２の画像処理装置の両方で画像処理を実行することを特徴とする請求項１乃至８のいずれか１項に記載の画像処理システム。
【請求項１０】
他の画像処理装置と通信可能な画像処理装置であって、
ユーザがユーザＩＤを入力可能な操作入力手段と、
前記操作入力手段により入力されたユーザＩＤと、前記画像処理装置に記憶されているユーザＩＤとを照合する第１のユーザＩＤ照合手段と、
前記第１のユーザＩＤ照合手段による照合が成功した場合、前記ユーザによる前記画像処理装置の使用を許可し、前記ユーザＩＤ照合手段による照合が成功しなかった場合、前記ユーザによる前記画像処理装置の使用を制限する制御手段と、
前記操作入力手段により入力された前記ユーザＩＤを、前記他の画像処理装置に送信するユーザＩＤ送信手段と、
画像を入力する画像入力手段と、
前記ユーザＩＤ送信手段によって送信されたユーザＩＤを用いて前記他の画像処理装置において実行された当該他の画像処理装置の使用可否の判断結果を受信する受信手段と、
前記受信手段によって受信された前記判断結果において前記他の画像処理装置が使用可能である場合、前記画像入力手段により入力された画像に基づく画像データを前記他の画像処理装置に送信する画像データ送信手段と
を備え、
前記第１のユーザＩＤ照合手段を有効または無効にする第１の照合制御手段と、
前記他の画像形成装置において前記画像処理装置から送信されたユーザＩＤと該他の画像処理装置に記憶されているユーザＩＤ情報とを照合する第２のユーザＩＤ照合手段の照合結果と、前記他の画像処理装置において該第２のユーザＩＤ照合手段を有効または無効にする第２の照合制御手段の状態とを、前記他の画像処理装置に問い合わせる照合結果問い合わせ手段とをさらに備えることを特徴とする画像処理装置。
【請求項１１】
第１の画像処理装置と第２の画像処理装置とを含む画像処理システムの制御方法であって、
前記第１の画像処理装置が、
ユーザがユーザＩＤを入力可能な操作入力ステップと、
前記操作入力ステップにおいて入力されたユーザＩＤと、前記第１の画像処理装置に記憶されているユーザＩＤとを照合する第１のユーザＩＤ照合ステップと、
前記第１のユーザＩＤ照合ステップにおいて照合が成功した場合、前記ユーザによる前記第１の画像処理装置の使用を許可し、前記第１のユーザＩＤ照合ステップにおいて照合が成功しなかった場合、前記ユーザによる前記第１の画像処理装置の使用を制限する第１の制御ステップと、
前記操作入力ステップにおいて入力された前記ユーザＩＤを、前記第２の画像処理装置に送信するユーザＩＤ送信ステップと、
画像を入力する画像入力ステップと、
前記画像入力ステップにおいて入力された画像に基づく画像データを前記第２の画像処理装置に送信する画像データ送信ステップと、
を実行し、
前記第２の画像処理装置が、
前記第１の画像処理装置から送信された前記ユーザＩＤを受信する受信ステップと、
前記受信ステップにおいて受信したユーザＩＤと、前記第２の画像処理装置に記憶されているユーザＩＤ情報とを照合する第２のユーザＩＤ照合ステップと、
を実行し、
前記画像処理システムが、前記第２のユーザＩＤ照合ステップにおいて照合が成功した場合、前記第１の画像処理装置から送信された画像データに対して前記第２の画像処理装置が画像処理を実行する連携処理を実行し、前記第２のユーザＩＤ照合ステップにおいて照合が成功しなかった場合、前記連携処理を実行せず、
前記第１の画像処理装置が、さらに、
前記第１のユーザＩＤ照合ステップを有効または無効にする第１の照合制御ステップを実行し、
前記第２の画像処理装置が、さらに、
前記第２のユーザＩＤ照合ステップを有効または無効にする第２の照合制御ステップと、
前記第２のユーザＩＤ照合ステップの照合結果と前記第２の照合制御ステップの処理状態を前記第１の画像処理装置に送信する照合結果送信ステップとを実行することを特徴とする画像処理システムの制御方法。
【請求項１２】
請求項１１に記載の画像処理システムの制御方法をコンピュータに実行させるためのコンピュータプログラムを記憶したコンピュータで読取り可能な記憶媒体。
【発明の詳細な説明】
【０００１】
【発明の属する技術分野】
本発明は、少なくとも２つの画像処理装置より構成される画像処理システム及び画像処理システム制御方法に関し、例えばネットワーク通信機能により他の画像処理装置と通信可能な画像処理装置を有する画像処理システム及び画像処理システム制御方法に関するものである。
【０００２】
【従来の技術】
従来、デジタル複写機を使ってお客様がコピーを行なう場合、自分のユーザＩＤ（例えば、部門番号とパスワードの組み合わせ）をデジタル複写機の操作部から入力し、あらかじめデジタル複写機内部に登録されているユーザＩＤのいずれかと一致したら、コピー動作が可能となり、ユーザＩＤ毎に、排紙枚数をカウントし、管理できるものが知られている。
【０００３】
また、複数のデジタル複写機をネットワークで接続し、送信側のデジタル複写機のスキャナで読み込んだ原稿画像を、受信側のデジタル複写機へネットワークを介して送信し、受信側のデジタル複写機でプリントアウトするリモートコピーモードでの動作が知られている。
【０００４】
このとき、送信側のデジタル複写機のプリンタでも同時にプリントする重連コピーを行なうシステムもあった。この機能を使用すると、例えば、１０部のコピーを行なう場合、送信側で５部をプリントアウトし、受信側で５部のプリントアウトを同時に行なうことにより、プリントアウトに要する時間を約半分に短縮でき、生産性が２倍近くに上がる。
【０００５】
【発明が解決しようとする課題】
ところが、従来は、複数のデジタル複写機を同時に使ってコピーする場合、それぞれのデジタル複写機に対して、ユーザＩＤ毎に処理量を管理できるものが無かった。
【０００６】
【課題を解決するための手段】
本発明は、上述した課題を解決することを目的として成されたもので、係る課題を解決するために、例えば以下の構成を備える。
【０００７】
即ち、第１の画像処理装置と第２の画像処理装置とを含む画像処理システムであって、前記第１の画像処理装置は、ユーザがユーザＩＤを入力可能な操作入力手段と、前記操作入力手段より入力されたユーザＩＤと、前記第１の画像処理装置に記憶されているユーザＩＤとを照合する第１のユーザＩＤ照合手段と、前記第１のユーザＩＤ照合手段による照合が成功した場合、前記ユーザによる前記第１の画像処理装置の使用を許可し、前記第１のユーザＩＤ照合手段による照合が成功しなかった場合、前記ユーザによる前記第１の画像処理装置の使用を制限する第１の制御手段と、前記操作入力手段により入力された前記ユーザＩＤを、前記第２の画像処理装置に送信するユーザＩＤ送信手段と、画像を入力する画像入力手段と、前記画像入力手段により入力された画像に基づく画像データを前記第２の画像処理装置に送信する画像データ送信手段と、を備え、前記第２の画像処理装置は、前記第１の画像処理装置から送信された前記ユーザＩＤを受信する受信手段と、前記受信手段により受信したユーザＩＤと、前記第２の画像処理装置に記憶されているユーザＩＤ情報とを照合する第２のユーザＩＤ照合手段と、を備え、前記画像処理システムは、前記第２のユーザＩＤ照合手段による照合が成功した場合、前記第１の画像処理装置から送信された画像データに対して前記第２の画像処理装置が画像処理を実行する連携処理を実行し、前記第２のユーザＩＤ照合手段による照合が成功しなかった場合、前記連携処理を実行せず、前記第１の画像処理装置は、さらに、前記第１のユーザＩＤ照合手段を有効または無効にする第１の照合制御手段を備え、前記第２の画像処理装置は、さらに、前記第２のユーザＩＤ照合手段を有効または無効にする第２の照合制御手段と、前記第２のユーザＩＤ照合手段の照合結果と前記第２の照合制御手段の状態を前記第１の画像処理装置に送信する照合結果送信手段とを備えることを特徴とする。
【０００８】
また、他の画像処理装置と通信可能な画像処理装置であって、ユーザがユーザＩＤを入力可能な操作入力手段と、前記操作入力手段により入力されたユーザＩＤと、前記画像処理装置に記憶されているユーザＩＤとを照合する第１のユーザＩＤ照合手段と、前記第１のユーザＩＤ照合手段による照合が成功した場合、前記ユーザによる前記画像処理装置の使用を許可し、前記ユーザＩＤ照合手段による照合が成功しなかった場合、前記ユーザによる前記画像処理装置の使用を制限する制御手段と、前記操作入力手段により入力された前記ユーザＩＤを、前記他の画像処理装置に送信するユーザＩＤ送信手段と、画像を入力する画像入力手段と、前記ユーザＩＤ送信手段によって送信されたユーザＩＤを用いて前記他の画像処理装置において実行された当該他の画像処理装置の使用可否の判断結果を受信する受信手段と、前記受信手段によって受信された前記判断結果において前記他の画像処理装置が使用可能である場合、前記画像入力手段により入力された画像に基づく画像データを前記他の画像処理装置に送信する画像データ送信手段とを備え、前記第１のユーザＩＤ照合手段を有効または無効にする第１の照合制御手段と、前記他の画像形成装置において前記画像処理装置から送信されたユーザＩＤと該他の画像処理装置に記憶されているユーザＩＤ情報とを照合する第２のユーザＩＤ照合手段の照合結果と、前記他の画像処理装置において該第２のユーザＩＤ照合手段を有効または無効にする第２の照合制御手段の状態とを、前記他の画像処理装置に問い合わせる照合結果問い合わせ手段とをさらに備えることを特徴とする。
【０００９】
また、第１の画像処理装置と第２の画像処理装置とを含む画像処理システムの制御方法であって、前記第１の画像処理装置が、ユーザがユーザＩＤを入力可能な操作入力ステップと、前記操作入力ステップにおいて入力されたユーザＩＤと、前記第１の画像処理装置に記憶されているユーザＩＤとを照合する第１のユーザＩＤ照合ステップと、前記第１のユーザＩＤ照合ステップにおいて照合が成功した場合、前記ユーザによる前記第１の画像処理装置の使用を許可し、前記第１のユーザＩＤ照合ステップにおいて照合が成功しなかった場合、前記ユーザによる前記第１の画像処理装置の使用を制限する第１の制御ステップと、前記操作入力ステップにおいて入力された前記ユーザＩＤを、前記第２の画像処理装置に送信するユーザＩＤ送信ステップと、画像を入力する画像入力ステップと、前記画像入力ステップにおいて入力された画像に基づく画像データを前記第２の画像処理装置に送信する画像データ送信ステップと、を実行し、前記第２の画像処理装置が、前記第１の画像処理装置から送信された前記ユーザＩＤを受信する受信ステップと、前記受信ステップにおいて受信したユーザＩＤと、前記第２の画像処理装置に記憶されているユーザＩＤ情報とを照合する第２のユーザＩＤ照合ステップと、を実行し、前記画像処理システムが、前記第２のユーザＩＤ照合ステップにおいて照合が成功した場合、前記第１の画像処理装置から送信された画像データに対して前記第２の画像処理装置が画像処理を実行する連携処理を実行し、前記第２のユーザＩＤ照合ステップにおいて照合が成功しなかった場合、前記連携処理を実行せず、前記第１の画像処理装置が、さらに、前記第１のユーザＩＤ照合ステップを有効または無効にする第１の照合制御ステップを実行し、前記第２の画像処理装置が、さらに、前記第２のユーザＩＤ照合ステップを有効または無効にする第２の照合制御ステップと、前記第２のユーザＩＤ照合ステップの照合結果と前記第２の照合制御ステップの処理状態を前記第１の画像処理装置に送信する照合結果送信ステップとを実行することを特徴とする。
【００１０】
また、上記画像処理システムの制御方法をコンピュータに実行させるためのコンピュータプログラムを記憶したコンピュータで読取り可能な記憶媒体として実現できる。
【００２２】
【発明の実施の形態】
以下、図面を参照して本発明に係る一発明の実施の形態例を詳細に説明する。以下の説明は、画像処理装置として複写機を例として説明を行なう。
【００２３】
図１は本発明に係る一発明の実施の形態例の画像処理装置の構成を示すブロック図である。図１において、リーダ部１は原稿の画像を読み取り、原稿画像に応じた画像データをプリンタ部２及び画像入出力制御部３へ出力する。プリンタ部２はリーダ部１及び画像入出力制御部３からの画像データに応じた画像を記録紙上に記録する。
【００２４】
画像入出力制御部３はリーダ部１に接続されており、ファクシミリ部４、ファイル部５、ネットワークインターフェイス部７、ＬＩＰＳフォーマッタ部８、ポストスクリプトフォーマッタ部９、コア部１０などからなる。
【００２５】
ファクシミリ部４は、電話回線、公衆回線網を介して他の情報処理装置からの通信データを受信し、受信した圧縮画像データを伸長して、伸長された画像データをコア部１０へ転送し、又、コア部１０から転送された画像データを圧縮して、圧縮された圧縮画像データを電話回線を介して他の通信装置に送信する。
【００２６】
ファイル部５には光磁気ディスクドライブユニット６が接続されている。ファイル部５においては、コア部１０から転送された画像データを圧縮し、その画像データを検索するためのキーワードとともに光磁気ディスクドライブユニット６にセットされた光磁気ディスクに記憶させる。
【００２７】
又、ファイル部５はコア部１０を介して転送されたキーワードに基づいて光磁気ディスクに記憶されている圧縮画像データを検索し、検索された圧縮画像データを読み出して伸長し、伸長された画像データをコア部１０へ転送する。
【００２８】
ネットワークインターフェイス部７は、パーソナルコンピュータ又はワークステーション（ＰＣ／ＷＳ）１１とコア部１０の間のインタフェイスである。また、同様にネットワーク接続されている他のデジタル複写機１３と、コア部１０間のインタフェイスにもなっている。
【００２９】
後述する本実施の形態例に係る、他のデジタル複写機に登録されているユーザＩＤの受信を行なう場合、このネットワークインターフェイス７を介して行なう。
【００３０】
１２はネットワークサーバであり、ネットワーク制御の中枢である。ＬＩＰＳフォーマッタ部８及びＰＳフォーマッタ部９は、ＰＣ／ＷＳ１１から転送されたＰＤＬデータをプリンタ部２で記録できる画像データに展開するものである。コア部１０は、リーダ部１、ファクシミリ部４、ファイル部５、ネットワークインターフェイス部７、フォーマッタ部８，９のそれぞれの間のデータの流れを制御している。なお、このコア部１０の詳細については後述する。
【００３１】
図２は、図１に示す本実施の形態例の画像処理装置の一例を示す断面図である。図２において、１００は複写装置本体、１８０は循環式自動原稿送り装置（ＲＤＦ）である。図１におけるリーダ部１は、図２の１０１〜１０９、プリンタ部２は、図２の１１０〜１６３に対応する。
【００３２】
図２において、１０１は原稿載置台としてのプラテンガラス、１０２はスキャナであり、スキャナ１０２は原稿照明ランプ１０３、走査ミラー１０４等で構成されている。不図示のモータによりスキャナが所定方向に往復走査されて原稿の反射光を走査ミラー１０４〜１０６を介してレンズ１０８を透過してＣＣＤセンサ１０９に結像する。
【００３３】
１０７はレーザ、ポリゴンスキャナ等で構成された露光制御部であり、露光制御部１０７はイメージセンサ部１０９で電気信号に変換され、後述する所定の画像処理が行われた画像信号に基づいて変調されたレーザ光１２９を感光体ドラム１１０に照射する。感光体ドラム１１０の回りには、１次帯電器１１２、現像器１２１、転写帯電器１１８、クリーニング装置１１６、前露光ランプ１１４が装備されている。
【００３４】
画像形成部１２６において、感光ドラム１１０は不図示のモータにより図に示す矢印の方向に回転しており、１次帯電器１１２により所望の電位に帯電された後、露光制御部１２０からのレーザ光１２９が照射され、静電潜像が形成される。感光体ドラム１１０上に形成された静電潜像は、現像器１２１により現像されて、トナー像として可視化される。
【００３５】
一方、上段カセット１３１あるいは下段カセット１３２からピックアップローラ１３３，１３４により給紙された転写紙は、給紙ローラ１３５，１３６により本体１００の画像形成部内に送られ、レジストローラ１３７により転写ベルトに給送され、可視化されたトナー像が転写帯電器１１８により転写紙に転写される。
【００３６】
転写後の感光体ドラムは、クリーナー装置１１６により残留トナーが清掃され、前露光ランプ１１４により残留電荷が消去される。また、転写後の転写紙は、転写ベルト１３０から分離され、定着前帯電器１３９，１４０によりトナー像が再帯電され、定着器１４１に送られ加圧、加熱により定着され、排出ローラ１４２により本体１００のソートに排出される。
【００３７】
１１９はレジストローラから送られた転写紙を転写ベルト１３０に吸着される吸着帯電器であり、１３８は転写ベルト１３０の回転に用いられると同時に、吸着帯電器１１９と対になって、転写ベルト１３０に転写紙を吸着帯電させる転写ベルトローラである。
【００３８】
本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、１００枚の転写紙を収容し得るマルチ手差し１５３が装備されている。
【００３９】
更に、図２において、１５４は排紙フラッパであり、両面記録側ないし多重記録側と排紙側の経路を切り替える。排紙ローラ１４２から送り出された転写紙は、この排紙フラッパ１５４により両面記録側ないし多重記録側に切り替えられる。
【００４０】
また、１５７は両面記録と多重記録の経路を切り替える多重フラッパであり、これを左方向に倒すことにより、転写紙を反転パス１５５に返さず、直接下搬送パス１５８に導く。１５９は経路１６０を通じて転写紙を感光体ドラム１２６側に給紙する給紙ローラである。１６１は排紙フラッパ１５４の近傍に配置させて、この排紙フラッパ１５４により排出側に切り替えられた転写紙を機外に排出する排出ローラである。
【００４１】
両面記録（両面複写）時には、排紙フラッパ１５４を上方に上げるとともに、多重フラッパ１５７を右に倒し、複写済みの転写紙を反転パス１５５に送って収納したあと、多重フラッパ１５７を左に倒し、反転パス１５５に収納した転写紙を搬送パス１５８に送る。このとき、転写紙を反転パス１５５で反転させることにより転写紙を裏返した状態で搬送パス１５８に送ることができる。そして、裏返した状態で再給紙トレイ１５６に格納する。
【００４２】
また多重記録（多重複写）時には、排紙フラッパ１５４を上方に上げて、多重フラッパ１５７を左に倒し、複写済みの転写紙を搬送パス１５８に送ってのち再給紙トレイ１５６に格納する。再給紙トレイ１５６に格納されている転写紙が、下から１枚ずつ給紙ローラ１５９により経路１６０を介して本体のレジストローラ１３７に導かれる。
【００４３】
本体１００から転写紙を反転して排出する時には、排紙フラッパ１５４を上方へ上げ、フラッパ１５７を右方向へ倒し、複写済みの転写紙を反転パス１５５側へ搬送し、転写紙の後端が第１の送りローラ１６２を通過した後に、反転ローラ１６３によって第２の送りローラ１６２ａ側へ搬送し、排出ローラ１６１によって、転写紙を裏返して機外へ排出される。
【００４４】
図３は図１に示すリーダ部１の詳細構成を示すブロック図である。図３において、ＣＣＤ２０９から出力された画像データはＡ／Ｄ・ＳＨ部２１０でアナログ／デジタル変換が行われるとともに、シェーディング補正が行われる。Ａ／Ｄ・ＳＨ部２１０によって処理された画像データは画像処理部２１１を介してプリンタ部２へ転送されるとともに、インタフェイス部２１３を介して画像入出力制御部３のコア部１０へ転送される。
【００４５】
ＣＰＵ２１４は操作部５００で設定された設定内容に応じて画像処理部２１１及びインタフェイス２１３を制御する。例えば、操作部５００でトリミング処理を行って複写を行なう複写モードが設定されている場合は、画像処理部２１１でトリミング処理を行なわせてプリンタ部２へ転送させる。
【００４６】
また、操作部５００でファクシミリ送信モードが設定されている場合は、インタフェイス２１３から画像データと設定されたモードに応じた制御コマンドをコア部１０へ転送させる。このようなＣＰＵ２１４の制御プログラムはメモリ２１６に記憶されており、ＣＰＵ２１４はメモリ２１６を参照しながら制御を行なう。また、メモリ２１６はＣＰＵ２１４の作業領域としても使われる。
【００４７】
更に、メモリ２１６は、本実施の形態例の複写機ユーザの部門番号とパスワードを登録するためにも使用される。
【００４８】
図４は図１に示すコア部１０の詳細構成を示すブロック図である。図４において、リーダ部１からの画像データはデータ処理部１２１へ転送されるとともに、リーダ部１からの制御コマンドはＣＰＵ３２３へ転送される。
【００４９】
データ処理部３２１は、主に画像の回転処理や変倍処理などの画像処理を行なう。リーダ部１からデータ処理部３２１へ転送された画像データは、リーダ部１から転送された制御コマンドに応じて、インタフェイス３２０を介してファクシミリ部４、ファイル部５、ネットワークインターフェイス部７へ転送される。
【００５０】
また、ネットワークインターフェイス部７を介して入力された画像を表すコードデータは、データ処理部３２１に転送され、そのＰＤＬがＬＩＰＳであるのかあるいはポストスクリプトであるのかが判定される。そして、しかるべきフォーマッタ部８ないし９へ転送されて画像データに展開される。この画像データはデータ処理部３２１に転送された後、ファクシミリ部４やプリンタ部２へ転送される。
【００５１】
ファクシミリ部４からの画像データは、データ処理部３２１へ転送された後、プリンタ部２やファイル部５、ネットワークインターフェイス部７へ転送される。また、ファイル部５からの画像データは、データ処理部１２１へ転送された後、プリンタ部２やファクシミリ部４、ネットワークインターフェイス部７へ転送される。
【００５２】
ＣＰＵ３２３は、メモリ３２４に記憶されている制御プログラム、及びリーダ部１から転送された制御コマンドに従って上述したような各種の制御を行なう。また、メモリ３２４はＣＰＵ３２３の作業領域としても使われる。
【００５３】
ネットワークインターフェイス部７にはＭＩＢ(Management Information Base)と呼ばれるデータベースが構築されており、ＳＮＭＰプロトコルを介してネットワーク上のコンピュータと通信し、プリンタの管理が可能になっている。
【００５４】
更に、本実施の形態例における詳細を後述する他のデジタル複写機に登録されているユーザＩＤを受信する場合、例えば、ＴＣＰ／ＩＰプロトコルで、他のデジタル複写機と通信し、他のデジタル複写機の種類や、ユーザＩＤが登録されているかの情報を受け取り、それに基づいて、他の複写機に登録されているユーザＩＤを受信し、自分のデジタル複写機のユーザＩＤとして、リーダ部１の、メモリ２１６に登録する。
【００５５】
このように、コア部１０を中心に、原稿画像の読み取り、画像のプリント、画像の送受信、画像の保存、コンピュータからのデータの入出力などの機能を複合させた処理を行なうことが可能である。
【００５６】
図５は本実施の形態例におけるリーダ部１の表示部に表示される基本画面の一例であるコピーモードの画面の表示例を示す図である。図５の外側の枠で囲った部分が表示部である。この表示部の右側には後述する５つのキー５２３〜５２８が設けられている。なお、この表示部はタッチパネルとなっており、それぞれ表示される機能の枠内を指などで触れることにより、その表示されている機能が実行される。
【００５７】
ガイドキー５２３は、あるキーの機能がわからないとき押すキーであり、ガイドキー５２３を押してから説明をしてほしいキーにタッチするとそのキーの説明が表示される。コピーモードキー５２４は、複写動作を行なう場合に押すキーである。そしてこのコピーモードキー５２４が押されたときに、図５に示すコピーモードの画面を表示する。
【００５８】
ファックスキー５２５は、装置をファクシミリ装置として使用するときに押すキーであり、ファイルキー５２６は、ファイルデータを出力したいときに押すキーである。プリンタキー４２７は、プリントの濃度を変更したり、リモートのホストからのＰＤＬ画像のプリント出力結果を参照したい場合に押すキーである。ＩＤキー５２８は後述するパスワード入力画面に移行させるキーである。
【００５９】
表示部５００において、５０１は拡張機能キーであり、このキーを押すことによって両面複写、多重複写、移動、とじ代の設定、枠消しの設定等のモードに入る。５０２は画像モードキーであり、このキーを押すことによって複写画像に対して網掛け、影付け、トリミング、マスキングを行なうための設定モードに入る。
【００６０】
５０３はユーザモードキーであり、このキーであり、このキーを押すことによって、モードメモリの登録、標準モード画面の設定が行なえる。５０４は応用ズームキーであり、このキーを押すことによって、原稿のＸ方向、Ｙ方向を独立に変倍するモード、原稿サイズと複写サイズから変倍率を計算するズームプログラムのモードに入る。
【００６１】
Ｍ１キー５０５、Ｍ２キー５０６、Ｍ３キー５０７は、それぞれに登録されたモードメモリを呼び出す際に押すキーである。オプションキー５０９は、フィルムから直接複写するためのフィルムプロジェクタ等のオプション機能の設定を行なうキーである。
【００６２】
ソータキー５１０は、メカソータを使用するか、電子ソータを使用するかの設定、及びソータのソート、グループ等のモード設定を行なうキーである。原稿混載キー５１１は、原稿フィーダにＡ４サイズとＡ３サイズ、またはＢ５サイズとＢ４サイズの原稿を一緒にセットする際に押すキーである。
【００６３】
等倍キー５１２は、複写変倍率を１００％にする際に押すキーである。縮小キー５１４、拡大キー５１５は、定型の縮小、拡大を行なう際に押すキーである。用紙選択キー５１３は、複写用紙の選択を行なう際に押すキーである。濃度キー５１８，５２０は、キー５１８を押す毎に濃く複写され、キー５２０を押す毎に薄く複写される。濃度表示５１７は、濃度キーを押すと表示が左右に変化する。
【００６４】
ＡＥキー５１９は、新聞のように地肌の濃い原稿を自動濃度調整複写するときに押すキーである。ＨｉＦｉキー５２１は、写真原稿のように中間調の濃度が多い原稿の複写の際に押すキーである。文字強調キー５２２は、文字原稿の複写で文字を際だたせたい場合に押すキーである。
【００６５】
５３０は、プリンタ選択キーであり、本実施の形態例に特有の詳細を後述する、リモートコピー処理、重連コピー処理を行なう場合の受信側複写機を選択する際に押すキーである。このプリンタ選択キー５３０を押した場合には、後述する図１１に示す画面に移行する。
【００６６】
図６は、本実施の形態例における操作部５００におけるユーザＩＤ（部門番号とパスワード）を入力するパスワード入力画面の例を示す図である。
【００６７】
ユーザが本実施の形態例の画像処理装置を使おうとするときには、自分の部門番号とパスワードを入力する。そして、あらかじめ画像処理装置のメモリ２１６に登録されている部門番号とパスワードの組み合わせと一致したらその後の操作を可能としており、その後に図５に示す基本操作画面に移行し、例えばコピー動作が可能となる。
【００６８】
メモリ２１６に登録されている部門番号とパスワードの組み合わせと一致しない場合は、パスワード不一致であることを操作部に表示し、コピー動作等のその後の操作を許容しない。
【００６９】
図６において、６０１は部門ＩＤキーであり、部門ＩＤキー６０１を押したあと、図示しないテンキーで、自分の部門番号、例えば図６の場合、「１２３４」を入力する。６０２は暗証番号キーであり、上記のように部門番号を入力したら、このキーを押し、図示しないテンキーで、自分の部門番号に対応するパスワード、例えば図６の場合、「６７８９」を入力する。
【００７０】
６０３はＯＫキーであり、入力した部門番号とパスワードを確認し、この入力した番号で良い場合であらかじめ画像処理装置のメモリ２１６に登録されている部門番号とパスワードの組み合わせと照合する場合に押すキーである。
【００７１】
このＯＫキー６０３を押し、あらかじめ画像処理装置に登録されている部門番号とパスワードの組み合わせのいずれかと一致した場合には上述した図５の基本画面に移行する。
【００７２】
そして、例えばコピー動作が終了したら、ユーザは、ＩＤキー５２８を押して図６のパスワード入力画面に移行させる。もしくは、画像形成動作が終了後、１分間、画像処理装置の操作部のキーが押されなかったら、ユーザが使い終わったと判断し、自動的に図６に示すパスワード入力画面に移行する。
【００７３】
部門番号とパスワードの組み合わせが、あらかじめ画像処理装置に登録されている部門番号とパスワードの組み合わせのいずれかと一致しない場合は、パスワード不一致であることを操作部に表示し、コピー動作は可能としない。入力した部門番号とパスワードの入力を間違えた場合、図示しないクリアキーで、入力したデータ、例えば図６の場合、部門番号「１２３４」、パスワード「６７８９」の入力を無効にする。
【００７４】
図７は、操作部５００における部門別ＩＤ管理画面を説明するための図であり、部門番号とパスワードの登録、あるいは、部門番号に対するコピー（プリント）枚数カウンタを参照、クリアするための画面である。
【００７５】
図示しない管理者キーを押したあと、図示しないテンキーにより、管理者用パスワードを入力し、あらかじめ画像処理装置のメモリ２１６に登録されている管理者用パスワードと一致した場合、図示しない管理者画面を表示し、そこで「部門別ＩＤ管理キー」を押したら、図７の画面に移行する。
【００７６】
６１１は部門別ＩＤ管理有効キーであり、これを押してキーを反転させることにより、部門別ＩＤ管理を有効にする。つまり、図６の画面を表示させ、ユーザに部門番号とパスワードを入力させ、あらかじめ画像処理装置に登録されている部門番号とパスワードと一致したら図５の基本画面を表示して画像処理装置の使用を有効にし、一致しなかったら無効にするという制御を行なうようにする。
【００７７】
６１２は部門別ＩＤ管理無効キーであり、これを押してキーを反転させることにより、ユーザに対して、部門番号とパスワードの入力はさせず、図６の画面は表示せずに、図５の基本画面を表示して、ユーザの認証なしに、画像処理装置を使用できるようにする。
【００７８】
６１３は暗証番号登録キーであり、これを押すことにより、画像処理装置のメモリ２１６に、画像処理装置の使用を許可する部門番号とパスワードをすべて登録する。ただし、後述する、本実施の形態例の制御方法によると、操作部から、管理する部門数分の部門番号とパスワードを入力する作業は、省略される。
【００７９】
６１４はカウント管理キーであり、これを押すことにより、部門番号に対するコピー、またはプリントした枚数の一覧が表示される。
【００８０】
６１５は取り消しキーであり、これを押すことにより図７の画面で押したキーの設定を無効にし、部門別管理をしている状態なら図６の画面に、部門別管理をしていない状態なら図５の画面に移行する。
【００８１】
６１６はＯＫキーであり、これを押すことにより図７の画面で押したキーの設定を有効にする。６１１を押した後、６１６のＯＫキーを押せば部門別管理が有効となり、図６の画面に移行し、ユーザに部門番号とパスワードの入力を促す。
【００８２】
部門別ＩＤ管理無効キー６１２を押した後にＯＫキー６１６を押せば、部門別管理が無効となり、図５の基本画面に移行し、ユーザの認証なしに、ユーザは画像処理装置の使用ができるようになる。暗証番号登録キー６１３を押したあと、ＯＫキー６１６を押せば、上述する図８の画面に移行する。また、カウント管理キー６１４を押したあとにＯＫキー６１６を押せば、後述する図９の画面に移行する。
【００８３】
図８は本実施の形態例における部門番号、パスワード設定画面を説明するための図である。図８において、６２１は部門番号設定欄であり、登録する部門番号の欄をタッチして反転させ、部門番号、例えば「１２３４」を図示しないテンキーで入力する。６２２はパスワード設定欄であり、部門番号に対応するパスワードの欄をタッチして反転させ、パスワード、例えば「４３２１」を、図示しないテンキーで入力する。
【００８４】
図８の例では、部門番号「１２３４」に対して、パスワード欄をタッチし、反転させ、図示しないテンキーで、「４３２１」を入力した様子を示している。
【００８５】
６２３は下スクロールキーであり、部門番号とパスワード一覧の次の画面を表示するために押す。６２４は上スクロールキーであり、部門番号とパスワード一覧の前の画面を表示するために押す。６２７は取り消しキーであり、これを押すことで、入力した部門番号とパスワードのデータを無効にし、図７の画面に戻る。
【００８６】
６２５はＯＫキーであり、設定した部門番号とパスワードの入力を有効にし、メモリ２１６に、新たに入力された部門番号とパスワードすべてを書き込んで登録する。なお、ＯＫキーを押すまでに入力された部門番号とパスワードの幅は、メモリ２１６の一時バッファエリアに格納し、６２７の取り消しキーを押された場合はこのエリアをクリアし、ＯＫキーを押された場合はこのエリアから部門番号とパスワードを、メモリ２１６の部門番号、パスワード登録エリアに移す。
【００８７】
なお、後述する本実施の形態例の制御手段によれば、例えば、新たな画像処理装置の設置時、操作部による、これらの部門番号とパスワードの入力作業を省略することができる。つまり、他の画像処理装置に以前登録されている、部門番号とパスワードの一覧データをネットワークを通じて、自分の画像処理装置のメモリ２１６の部門番号、パスワード登録エリアにコピーする。
【００８８】
もちろん、このコピーにより、部門番号、パスワードの一覧が登録された後に、部門番号、パスワードの追加登録が必要になった場合には、図８の画面により、登録作業を行っても良いことになる。
【００８９】
図９は、本実施の形態例における部門別カウント／上限設定画面を説明するための図である。図９において、６３０は部門番号表示欄であり、画像処理装置を使用している部門番号を表示している。６３１はカウント表示欄であり、部門番号のユーザが何枚コピーあるいは、プリントしたかの数値（プリント量）を示す。
【００９０】
ここで、カウント表示欄に表示されるカウント値は、プリントに要した紙の枚数でもよいし、また、両面プリントやＮｕｐプリントなどに対応すべく、プリントされた画像の数（例えば、両面プリントでは、１枚の紙に対しカウント値は２）でもよい。
【００９１】
例えば、図９の場合、部門番号１２３４の部門は、１２３枚コピーまたはプリントしたことを示している。６３４は下スクロールキーであり、部門番号とカウンタ一覧の次の画面を表示するために押す。６３５は上スクロールキーであり、部門番号とカウンタ一覧の前の画面を表示するために押す。
【００９２】
６３６はカウントオールクリアキーであり、管理者が部門番号とカウンタ一覧のデータを書き移す。またはプリントした後、すべての部門のカウンタをリセットする場合に押す。６３７はカウントプリントキーであり、部門番号とカウンタの一覧を、画像処理装置からプリントアウトする場合に押す。６３２はＯＫキーであり、これを押すことで、図７の画面に戻る。
【００９３】
６３８は上限カウンタ表示欄であり、各部門番号に対応するユーザに対してプリントを許可する枚数の設定状況を表示する欄である。例えば図９の例では、部門ＩＤ１２３４の部門に対しては２０００枚までプリントを許可し、プリントジョブ終了後にカウント欄６３０のカウンタ値が２０００枚を超えている場合には以降のプリントを禁止することを示している。また、上限カウンタ表示欄６３８の上限カウントデータ及びカウント欄６３０のカウントデータは、部門ＩＤやパスワードを保持しているメモリ２１６内に保持される。
【００９４】
６３９は上限有効キーであり、この上限有効キー６３９を押すことにより、上限カウンタ表示欄６３８で設定された上限カウンタによるプリント制御が有効となる。例えば、部門ＩＤ１２３４に対して、プリント枚数の制限を２０００枚とすることができる。有効な状態の場合には、上限有効キー６３９は反転表示され、有効状態であると容易に判別可能な表示となっている。
【００９５】
上限カウンタによるプリント制御が無効である場合には、上限有効キー６３９は通常表示となり、上限カウント欄の上限枚数による制御は無効となる。例えば、部門ＩＤ１２３４に対して、上限枚数が２０００と設定されている状態で、プリント枚数が２０００枚を超えても無制限にプリントすることが可能となる。
【００９６】
図１０は本実施の形態例で採用されている画像処理システムの概略ネットワーク構成を説明するための図である。図１０の例は、リモートコピー及び重連コピーが可能なネットワークシステムの例を示している。
【００９７】
図１０において、１３，２０，２１はネットワークを介して互いに接続可能なデジタル複写機であり、お互いにネットワークを通じて、例えばＴＣＰ／ＩＰなどのプロトコルで、部門ＩＤや、画像データのやり取りを行なう。例えば、リモートコピー、重連コピーの送信側としてデジタル複写機１３、受信側としてデジタル複写機２０としてもよい。
【００９８】
その場合、デジタル複写機１３が備えるスキャナで読み取った原稿画像データを、ネットワークを介して、デジタル複写機２０に送信し、デジタル複写機２０のプリンタでプリントし、リモートコピーを行なう。または、このとき、デジタル複写機１３のプリンタからも同時に原稿画像データをプリントすることで、重連コピーを行なうことができる。
【００９９】
例えば、デジタル複写機１３に５部をプリントし、デジタル複写機２０にも５部プリントをさせるように制御すれば、１台の複写機で１０部プリントするよりも、２倍近い速さで同じ１０部のプリントを得ることができる。更に、受信側のデジタル複写機として、複写機２１を加え、送信側であるデジタル複写機１３のプリンタで４部プリント、受信側であるデジタル複写機２０で３部プリント、受信側であるデジタル複写機２１で３部プリントするように制御すれば、更に速いパフォーマンスで、合計１０部のプリントを得ることができる。
【０１００】
図１１は、図５に示す基本画面においてプリンタ選択キー５３０を押した場合に表示する操作部の様子を示す図である。この画面からリモートコピーまたは重連のコピーの受信側の複写機を選択することができる。
【０１０１】
図１１において、７００は複写機名称欄であり、ネットワークに接続されている他の受信側の複写機の名称を表示している。７０１は状況表示欄であり、他の受信側の複写機と通信ができているかどうかを示している。通信が正常ならＯＫ、通信異常か、受信側の複写機の電源がＯＦＦなら、「ＮＧ」と表示している。
【０１０２】
７０２はＩＰアドレス欄であり、各受信側の複写機のＩＰアドレスを表示している。例えば、総務ＧＰ２１５というデジタル複写機とは現在通信可能であり、ＧＰ２１５のデジタル複写機のＩＰアドレスが、１２３．４５６．７８９．０００であることを示している。
【０１０３】
７０３は、ＩＰアドレス指定欄であり、この部分をタッチした後、図示しないテンキーによるＩＰアドレスを入力して検索キー７０９を押すことにより、新規の受信側の複写機をサーチすることができる。サーチが成功したら名称欄７０４に検索された受信側の複写機の名称が表示され、状況欄７０５が「ＯＫ」となる。
【０１０４】
一定時間検索しても見つからなかったときは、例えば「複写機が見つかりません」等のメッセージを図１１の上部に表示する。７０６，７０７は、それぞれ下スクロールキー、上スクロールキーであり、受信側の複写機の一覧が一画面で表示しきれない場合、画面をスクロールする。
【０１０５】
７０８は重連キーであり、指定した受信側複写機と重連コピーを行なう場合に押下入力する。このキーが入力されるとキーが反転し（黒くなって）、重連コピーを行なう動作モードとなり、もう一度押したらキーが白くなり重連コピーでなく、リモートコピーを行なうことになる。また、複写機を指定する場合は、指定したい複写機の名称欄をタッチし、表示を反転させる。図１１の場合、総務ＧＰ２１５が指定された状態となる。
【０１０６】
７１０はＯＫキーであり、受信側複写機として指定した複写機の名称欄を押して、リモートコピー、あるいは重連コピーを行ないたい場合に入力し、このキーが入力されると図５に示す基本画面に戻る。あるいは、何も指定せずにＯＫキー７１０を押して図５の基本画面に戻ってもよい。
【０１０７】
受信側複写機を指定して図５の基本表示に戻った場合、プリンタ選択キーが反転した状態となる。受信側複写機を指定せず図５の基本画面表示に戻った場合にはプリンタ選択キー５３０は反転しない。
【０１０８】
次に、以上の構成を備える本実施の形態例におけるリモートコピー、あるいは重連コピーを行なう場合の送信側複写機１３の制御を説明する。図１２は本実施の形態例におけるリモートコピー、あるいは重連コピーを行なう場合の送信側複写機１３の制御を説明するためのフローチャートである。本実施の形態例ではコピーを行なうに先立って送信側複写機のスキャナにコピーするべき原稿をあらかじめセットする。
【０１０９】
リモートコピー、あるいは重連コピーを行なう場合の送信側複写機１３ではまずステップＳ５０１で、図５の基本操作画面において、コピーモード、例えば、片面コピー１０部などの設定を行なう。続いてステップＳ５０２において、図５の基本画面でプリンタ選択キー５３０を押し、図１１に示すプリンタ選択表示画面を参照して受信側の複写機２０の選択を行なう。例えば、総務ＧＰ２１５を選んでＯＫキー７１０を押す等の選択を行なう。
【０１１０】
次にステップＳ５０３で、指定されたコピー処理が可能かどうかを判断する。例えば、両面コピーを行なうのに受信側の受信側の複写機に両面ユニットが無い場合など指定されたコピー処理が出来ない場合でないか否かを判断する。ステップＳ５０３の判断で指定されたコピーが行なえない場合はステップＳ５０４に進み、例えば図５の画面の上部に警告メッセージを表示する等の警告表示を行なう。このステップＳ５０３の判断においては、受信側複写機とネットワークを介して通信を行い、受信側複写機の両面ユニットの装着状況等、受信側複写機の情報を取得して上記判断を行なっている。警告メッセージを表示した後はステップＳ５０１に戻る。
【０１１１】
一方、ステップＳ５０３でコピーが可能であればステップＳ５０５に進み、スキャナにセットされた原稿画像をスキャンして原稿画像を読み込み、読み込んだ画像データをメモリ２１６に蓄積する。そしてステップＳ５０６でセットされた全原稿をスキャンして画像データをすべてメモリ２１６に蓄積し終わったか否かを判断する。スキャンするべき原稿がまだある場合にはステップＳ５０５に戻る。
【０１１２】
一方、スキャナにセットされた原稿画像をすべてスキャンして原稿画像を読み込み、読み込んだ画像データをメモリ２１６に蓄積し終わった場合にはステップＳ５０６よりステップＳ５０７に進み、リモートコピーが指定されているかあるいは重連コピーが指定されているかを判断する。ステップＳ５０７で重連コピーが指定されていない場合にはステップＳ５０９に進む。
【０１１３】
一方、ステップＳ５０７で重連コピーが指定されている場合にはステップＳ５０８に進み、メモリ２１６に蓄積されている画像データを読み出し、自複写機のプリンタよりプリントする様に制御する。そしてステップＳ５０９に進む。
【０１１４】
ステップＳ５０９では、メモリ２１６から、先に蓄積した原稿画像データを読み出し、ＣＰＵ２１４、画像処理部２１１、Ｉ／Ｆ２１３、Ｉ／Ｆ３２２、データ処理部３２１、Ｉ／Ｆ３２０を介して、ネットワークインターフェイス部７に転送する。そして、ネットワークを通じて、受信側複写機２０へ、原稿画像データを転送する。続いてステップＳ５１０で全原稿画像データを読み出し、転送終了したか否かを判断する。全原稿画像データを読み出し、転送終了していなければステップＳ５０７に戻る。
【０１１５】
一方、ステップＳ５１０で全原稿画像データを読み出し、転送終了している場合にはステップＳ５１１に進み、重連コピーで必要部数分を送信側複写機でプリント終了したか否かを判断する。必要部数分を送信側複写機でプリントしていない場合にはステップＳ５１２に進み、１部プリントするように制御してステップＳ５１１に進む。
【０１１６】
一方、ステップＳ５１１で必要部数分のプリントが終了している場合には当該処理を終了する。
【０１１７】
次に、以上のような制御に従った送信側複写機よりの通信制御に対応したプリント制御を行なう受信側複写機のリモートコピーまたは重連コピー制御を図１３を参照して説明する。図１３は本実施の形態例におけるリモートコピー、あるいは重連コピーを行なう場合の受信側複写機２０の制御を説明するためのフローチャートである。
【０１１８】
受信側複写機２０は、まずステップＳ６０１において、送信側複写機１３からのコピー情報が送られてきたか否か（コピー情報を受信したか否か）を判断する。コピー情報が受信されない場合には受信されるのを監視する。
【０１１９】
ステップＳ６０１において、送信側複写機１３から図１２のステップＳ５０３の処理でコピー情報データが送信されて来た場合にはステップＳ６０２に進み、送られてくる送信側複写機１３よりのコピー情報データを、受信側複写機２０のネットワークインターフェイス部７、Ｉ／Ｆ３２０、データ処理部３２１、Ｉ／Ｆ３２２、Ｉ／Ｆ２１３、画像処理部２１１を介して受け取る。このコピー情報を解析し、例えば、両面コピーで５部プリントする指示であること等送信複写機１３よりの具体的な指示内容を認識する。このとき、例えば、両面コピーの指示で自分の複写機に両面ユニットが無い場合などは、ネットワークを介して警告情報を、同じルートで逆方向に、送信側複写機１３に返信する。
【０１２０】
重連コピー制御の場合等ではその後送信側複写機１３からの原稿画像データを受け取る必要があるため、ステップＳ６０２において送信側複写機１３からの原稿画像データを同じルートで受信し、メモリ２１６に格納する。原稿画像データの受信及びメモリ２１６への格納が終了するとステップＳ６０３に進み、メモリ２１６に格納された原稿画像データを読み出し、画像処理部２１１を介してプリンタ部２に転送してプリントアウトさせる。
【０１２１】
次にステップＳ６０４で全原稿画像データを受信したかを判断し、全原稿画像データを受信していない場合にはステップＳ６０２に戻り、次の原稿受信を行なう。
【０１２２】
一方、ステップＳ６０４において、全原稿画像データを受信し終わった場合にはステップＳ６０５に進み、コピー情報データで指示された全部数分のプリントが終わったかを判断する。コピー情報データで指示された全部数分のプリントがまだ終了していない場合にはステップＳ６０６に進み、ステップＳ６０２でメモリ２１６に格納した原稿画像データを読み出し、画像処理部２１１を介してプリンタ部２に転送して１部プリントアウトさせる。そしてステップＳ６０５に戻る。
【０１２３】
一方、ステップＳ６０５でコピー情報データで指示された全部数分のプリントが終了した判断した場合には当該処理を終了する。
【０１２４】
本実施の形態例においては、図１２、図１３の処理とは別に、ユーザＩＤを用いて部門管理を行なうことが可能であり、ユーザＩＤを用いて部門管理を行なう場合には以下の図１４、図１５に示す制御を行なう。
【０１２５】
次に、図１４を参照して本実施の形態例における部門管理を行なう場合と部門管理を行なわない場合における送信側の複写機１３のリモートコピー／重連コピー制御を説明する。図１４は本実施の形態例における部門管理を行なう場合と部門管理を行なわない場合における送信側の複写機１３のリモートコピー／重連コピー制御を説明するためのフローチャートである。
【０１２６】
ユーザＩＤを用いて部門管理を行なう場合には、まずステップＳ７１３で部門管理を行なうか否かを判定する。部門管理を行なわない場合にはステップＳ７０１に進む。部門管理ありとは、図７に示す部門別ＩＤ管理画面で、部門管理するを選択し、ＯＫにした状態である。部門管理なしとは、同画面で、部門管理しないを選択し、ＯＫにした状態である。
【０１２７】
一方、ステップＳ７１３で部門管理ありと指定されていると判断した場合にはステップＳ７１４に進み、図６に示す画面を表示し、部門ＩＤと暗証番号を入力させ、ＯＫを押させて、あらかじめメモリ２１６に登録されている部門ＩＤと暗証番号と認証する。そして、ステップＳ７１５で認証した場合にはステップＳ７０１の処理の意向する。
【０１２８】
一方、ステップＳ７１５で入力された部門ＩＤと暗証番号が、あらかじめメモリ２１６に登録されている部門ＩＤと暗証番号と照合しない場合には処理を終了して装置に操作を中止させる。
【０１２９】
ステップＳ７０１では、図５に示す基本画面において、コピーモード設定を行なう。例えば、片面コピー１０部などの設定を行なう。続いてステップＳ７０２において、図５の基本画面のプリンタ選択キー５３０を入力し、図１１の画面で受信側の複写機２０の選択を行い、例えば、総務ＧＰ２１５を選んでＯＫキー７１０を押す。
【０１３０】
次にステップＳ７１６で、受信側の複写機が部門管理ありの状態か否かの情報を受信側の複写機と通信することで取得して受信側の複写機が部門管理ありの状態か否かを判断する。受信側が部門管理なしの状態である場合にはステップＳ７０３に進む。
【０１３１】
一方、ステップＳ７１６で、受信側の複写機が部門管理ありの状態の場合にはステップＳ７１７に進み、送信側の複写機が部門管理ありの状態か否かを判定する。送信側の複写機が部門管理無しの状態の場合には、受信側へ部門ＩＤ、暗証番号を送信することができず、受信側の複写機で部門管理できない状態、つまり、受信側の複写機で部門管理ありの状態のときに、部門ＩＤ、暗証番号無しでプリントできないため、リモートコピー、重連コピーを実行することができない。このため当該処理を終了する。
【０１３２】
一方、ステップＳ７１７で送信側複写機が部門管理あり状態に設定されている場合にはステップＳ７１８に進み、先のステップＳ７１４で入力された部門ＩＤ、暗証番号と、受信側複写機側のメモリにあらかじめ登録されている部門ＩＤ、暗証番号をネットワーク通信を使って照合する。ステップＳ７１８で照合しなかったら、リモートコピー、重連コピーができないので当該処理を終了する。
【０１３３】
一方、ステップＳ７１８で先のステップＳ７１４で入力された部門ＩＤ、暗証番号と、受信側複写機側のメモリにあらかじめ登録されている部門ＩＤ、暗証番号が照合した場合にはステップＳ７０３に進む。
【０１３４】
ステップＳ７０３では、コピー可能かどうかを判断する。例えば、両面コピーを行なうのに、受信側の複写機に両面ユニットが無い場合など、コピーが行なえない場合はステップＳ７０４に進み、図５に示す基本画面の上部に警告メッセージを表示してステップＳ７０１に戻る。ステップＳ７０３においては、受信側複写機とネットワークを介して通信を行い、受信側複写機の両面ユニットの装着状態等、受信側複写機の情報を取得してコピー可能かどうかを判断する。
【０１３５】
一方、ステップＳ７０３でコピー可能であった場合にはステップＳ７０５に進み、スキャナにセットされている原稿画像をスキャンして原稿画像を読み取り、読み取った画像データをメモリ２１６に蓄積する。続いてステップＳ７０６で全原稿をスキャンして画像データをすべてメモリ２１６に蓄積し終わったか否かを判断する。すべての原稿をスキャンして画像データをすべてメモリ２１６に蓄積し終わっていない場合にはステップＳ７０５に戻る。
【０１３６】
一方、ステップＳ７０６において、原稿をスキャンして画像データをすべてメモリ２１６に蓄積し終わっ終わった場合にはステップＳ７０７に進み、リモートコピーか、重連コピーかを判断する。重連コピーの場合には重連キー７０８が押されている。ステップＳ７０７で重連コピーの場合にはステップＳ７０８に進み、メモリ２１６に蓄積されている画像データを読み出してプリントアウトする。そして続くステップＳ７１９において、送信側複写機が部門管理ありか否かを判定する。送信側複写機が部門管理ありでない場合にはステップＳ７１０に進む。
【０１３７】
一方、ステップＳ７１９で送信側複写機が部門管理ありの場合にはステップＳ７２０に進み、使用中の部門ＩＤに対する部門カウンタをプリント枚数に応じてカウントアップしてステップＳ７１０に進む。
【０１３８】
一方、ステップＳ７０７で重連コピーでない場合にはステップＳ７０９に進み、メモリ２１６かスキャンした原稿画像データを読み出し、ＣＰＵ２１４、画像処理部２１１、Ｉ／Ｆ２１３、Ｉ／Ｆ３２２、データ処理部３２１、Ｉ／Ｆ３２０を介して、ネットワークインターフェイス部７に転送する。そして、ネットワークを通じて、受信側複写機２０へ、原稿画像データを転送する。続いてステップＳ７１０で全原稿画像データを読み出し、転送終了したかを判断する。全原稿画像データの読み出し転送が終了していなければステップＳ７０７に戻る。
【０１３９】
一方、ステップＳ７１０で全原稿画像データの読み出し転送が終了したらステップＳ７１１に進み、重連コピーで必要部数分、送信側複写機でプリント終了したか否かを判断する。送信側複写機でプリント終了している場合には当該処理を終了する。
【０１４０】
一方、ステップＳ７１１で送信側複写機でプリント終了していな場合にはステップＳ７１２に進み、更に１部プリントアウトする。そして続くステップＳ７２１で送信側部門管理ありか否かを判断する。送信側部門管理無しの場合にはステップＳ７１１に戻る。
【０１４１】
一方、ステップＳ７２１で送信側部門管理ありの場合にはステップＳ７２２に進み、使用中の部門ＩＤに対する部門カウンタをカウントアップしてステップＳ７１１に戻る。
【０１４２】
そして必要部数分プリントしたらステップＳ７１１より当該処理を終了する。
【０１４３】
次に図１５を参照して本実施の形態例における部門管理を行なう場合と部門管理を行なわない場合における受信側の複写機２０のリモートコピー／重連コピー制御を説明する。図１５は本実施の形態例における部門管理を行なう場合と部門管理を行なわない場合における受信側の複写機２０のリモートコピー／重連コピー制御を説明するためのフローチャートである。
【０１４４】
受信側複写機２０は、まずステップＳ８０１において、送信側複写機１３からのコピー情報が送られてきたか否か（コピー情報を受信したか否か）を判断する。コピー情報が受信されない場合には受信されるのを監視する。ステップＳ８０１において、送信側複写機１３から図１４のステップＳ７１６の処理でコピー情報データが送信されて来た場合にはステップＳ８０２に進み、送られてくる送信側複写機１３よりのコピー情報データを、受信側複写機２０のネットワークインターフェイス部７、Ｉ／Ｆ３２０、データ処理部３２１、Ｉ／Ｆ３２２、Ｉ／Ｆ２１３、画像処理部２１１を介して受け取る。このコピー情報を解析し、例えば、両面コピーで５部プリントする指示であること等送信複写機１３よりの具体的な指示内容を認識する。このとき、例えば、自分の複写機に両面ユニットが無いとしたら、警告情報を、同じルートで逆方向に、送信側複写機１３へネットワークで返信する。また、送信側複写機から、受信側複写機が部門管理ありの状態か無しの状態かの問い合わせがあった場合、結果を返信する。更に、送信側複写機から、受信側複写機に対して、送信側複写機の操作部から入力された部門ＩＤと暗証番号をネットワーク通信により受け取り、受信側複写機のメモリ２１６にあらかじめ登録されている部門ＩＤと暗証番号に一致しているかの問い合わせ（照合）に対しても結果を返信する。
【０１４５】
重連コピー制御の場合等ではその後送信側複写機１３からの原稿画像データを受け取る必要があるため、ステップＳ８０２において送信側複写機１３からの原稿画像データを同じルートで受信し、メモリ２１６に格納する。原稿画像データの受信及びメモリ２１６への格納が終了するとステップＳ８０３に進み、メモリ２１６に格納された原稿画像データを読み出し、画像処理部２１１を介してプリンタ部２に転送してプリントアウトさせる。
【０１４６】
続いてステップＳ８０７で受信側複写機が部門管理ありか否かを判定する。受信側複写機が部門管理無しの場合にはステップＳ８０４に進む。
【０１４７】
一方、ステップＳ８０７で受信側複写機が部門管理ありの場合にはステップＳ８０８に進み、送信側複写機から照合時に送られてきた部門ＩＤに対する、受信側複写機のメモリ２１６にある部門カウンタをカウントアップする。そしてステップＳ８０４に進む。
【０１４８】
ステップＳ８０４では、全原稿画像データを受信したかを判断する。全原稿画像データを受信していない場合にはステップＳ８０２に戻り、次の原稿受信を行なう。
【０１４９】
一方、ステップＳ８０４において、全原稿画像データを受信し終わった場合にはステップＳ８０５に進み、コピー情報データで指示された全部数分のプリントが終わったかを判断する。コピー情報データで指示された全部数分のプリントがまだ終了していない場合にはステップＳ８０６に進み、ステップＳ８０２でメモリ２１６に格納した原稿画像データを読み出し、画像処理部２１１を介してプリンタ部２に転送して１部プリントアウトさせる。続いてステップＳ８０９で受信側複写機が部門管理ありか否かを判定する。受信側複写機が部門管理無しの場合にはステップＳ８０５に戻る。
【０１５０】
一方、ステップＳ８０９で受信側複写機が部門管理ありの場合にはステップＳ８１０に進み、送信側複写機から照合時に送られてきた部門ＩＤに対する、受信側複写機のメモリ２１６にある部門カウンタをカウントアップする。そしてステップＳ８０５に戻る。
【０１５１】
一方、ステップＳ８０５でコピー情報データで指示された全部数分のプリントが終了した判断した場合には当該処理を終了する。
【０１５２】
以上の様に制御することにより、複数の画像処理装置、例えばデジタル複写機等を同時に使ってコピー等の画像処理する場合でも、それぞれのデジタル複写機に対して、それぞれ使用したユーザＩＤ毎に、確実に排紙枚数をカウントし、枚数管理が実現する。
【０１５３】
以上説明したように本実施の形態例によれば、送信側の複写機でユーザＩＤが登録されており、受信側の複写機で同様にユーザＩＤが登録されている状態で、リモートコピー、あるいは重連コピーを行なう場合、送信側の複写機の操作部からユーザＩＤを入力させ、送信側に登録されているユーザＩＤと認証して一致し、かつ、ネットワークを通じて、受信側に登録されているユーザＩＤと認証し、一致したら、リモートコピー、あるいは重連コピーを行なうようにしている。
【０１５４】
このため、リモートコピー、あるいは重連コピーを行なう場合にも、使用可能なユーザＩＤを制限して使用させることができるという効果がある。
【０１５５】
また、送信側複写機で部門管理されている場合で、かつ、受信側複写機で部門管理されている場合は、上記のような制御を行い、送信側複写機は部門管理されている場合で、受信側複写機で部門管理されていない場合は、送信側で複写機で入力されたユーザＩＤと、送信側複写機で登録されているユーザＩＤと認証し、一致したら、リモートコピー、重連コピーを可能として、排紙枚数は、送信側複写機でカウントすることで、使用可能なユーザＩＤを制限すると同時に、排紙枚数を管理したい送信側複写機では部門管理ができるという効果がある。
【０１５６】
送信側複写機で、部門管理されていない場合で、かつ、受信側複写機で部門管理されている場合は、送信側複写機では、ユーザＩＤ入力を促さないので、受信側複写機へ使用者のユーザＩＤを伝えることができない。このような場合は、リモートコピー、重連コピーを禁止し、受信側複写機の部門管理を正確なものにすることができるという効果がある。
【０１５７】
さらに、送信側複写機、受信側複写機ともに、部門管理されていない場合、送信側複写機ではユーザＩＤ入力を促さず、しかも、受信側複写機では、ユーザＩＤの使用者情報を必要としないので、リモートコピー、重連コピーを、誰もがいつでも使用することができるという効果がある。
【０１５８】
以上のように、送信側複写機、受信側複写機で、部門管理されている場合、されていない場合は、操作部のスイッチ（図５、図９、図１１などの画面表示にしたがった制御指示入力）で容易に切り替えることができるので、用途に応じたリモートコピー、重連コピーの部門管理の方法が選択でき、利便性が向上するという効果がある。
【０１５９】
これにより、また、送信側デジタル複写機、受信がアデジタル複写機がそれぞれ、ユーザＩＤ毎のカウント枚数管理を行っている状態、行っていない状態のいずれかにおいても、その組み合わせにより、適切に枚数管理を実現することが出来る。
【０１６０】
【他の実施形態】
なお、以上の説明においては、プリント枚数により印刷量を管理していたが、これをプリント量を基準にしても良いことは勿論である。
【０１６１】
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【０１６２】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１６３】
更に、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１６４】
本発明を上記記憶媒体に適用する場合、その記憶媒体には、例えば先に説明した各フローチャートに対応するプログラムコードが格納されることになる。
【０１６５】
【発明の効果】
以上説明したように本発明によれば、複数の画像処理装置等を同時に使って所定の画像処理、例えばコピー処理を行う場合でも、それぞれの画像処理毎にそれぞれ使用したユーザＩＤ毎に確実な画像処理の管理を実現することができる。また、ユーザによって１つの画像処理装置に対して入力されたユーザＩＤ及び暗証番号を使用して、当該画像処理装置の認証を行うとともに、画像処理を連携する他の画像処理装置に対して当該ユーザＩＤ及び暗証番号を送付して、他の画像処理装置における認証も実行することにより、ユーザにとっては両方の画像処理装置にユーザＩＤ及び暗証番号を入力する必要がなく、ユーザの作業を低減することができる。
【０１６６】
また、第１の画像処理装置、第２の画像処理装置がそれぞれ、ユーザＩＤ毎の画像処理量管理を行っている状態、行っていない状態のいずれかにおいても、その組み合わせにより、適切に画像処理管理を実現することが出来る。
【図面の簡単な説明】
【図１】本発明に係る一実施の形態例の画像処理装置の構成を示すブロック図である。
【図２】図１に示す本実施の形態例の画像処理装置の一例を示す断面図である。
【図３】図１に示すリーダ部の詳細構成を示すブロック図である。
【図４】図４は図１に示すコア部の詳細構成を示すブロック図である。
【図５】本実施の形態例におけるリーダ部の表示部に表示される基本画面の一例であるコピーモードの画面の表示例を示す図である。
【図６】本実施の形態例における操作部におけるユーザＩＤ（部門番号とパスワード）を入力するパスワード入力画面の例を示す図である。
【図７】本実施の形態例における操作部における部門別ＩＤ管理画面を説明するための図である。
【図８】本実施の形態例における部門番号、パスワード設定画面を説明するための図である。
【図９】本実施の形態例における部門別カウント／上限設定画面を説明するための図である。
【図１０】本実施の形態例で採用されている画像処理システムの概略ネットワーク構成を説明するための図である。
【図１１】本実施の形態例におけるプリンタ選択画面を説明するための図である。
【図１２】本実施の形態例におけるリモートコピー、あるいは重連コピーを行なう場合の送信側複写機の制御を説明するためのフローチャートである。
【図１３】本実施の形態例におけるリモートコピー、あるいは重連コピーを行なう場合の受信側複写機の制御を説明するためのフローチャートである。
【図１４】本実施の形態例における部門管理を行なう場合と部門管理を行なわない場合における送信側の複写機のリモートコピー／重連コピー制御を説明するためのフローチャートである。
【図１５】本実施の形態例における部門管理を行なう場合と部門管理を行なわない場合における受信側の複写機のリモートコピー／重連コピー制御を説明するためのフローチャートである。
【符号の簡単な説明】
１  リーダ部
２  プリンタ部
３  画像入出力制御部
４  ファクシミリ部
５  ファイル部
６  光磁気ディスクドライブユニット
７  ネットワークインターフェイス部
８  ＬＩＰＳフォーマッタ部
９  ポストスクリプトフォーマッタ部
１０  コア部
１１  パーソナルコンピュータ又はワークステーション（ＰＣ／ＷＳ）
１２  ネットワークサーバ
１３  他のデジタル複写機
１００  複写装置本体
１８０  循環式自動原稿送り装置（ＲＤＦ）
１０１  プラテンガラス
１０２  スキャナ
１０３  原稿照明ランプ
１０４〜１０６  走査ミラー
１０７、１２０  露光制御部
１０８  レンズ
１０９  ＣＣＤセンサ（イメージセンサ部）
１１０  感光体ドラム
１１２  １次帯電器
１１４  前露光ランプ
１１６  クリーニング装置
１１８  転写帯電器
１１９  吸着帯電器
１２１  現像器
１２６  画像形成部
１３０  転写ベルト
１３１  上段カセット
１３２  下段カセット
１３３，１３４  ピックアップローラ
１３５，１３６  給紙ローラ
１３７  レジストローラ
１３８  転写ベルトローラ
１３９，１４０  定着前帯電器
１４１  定着器
１４２  排出ローラ
１５０  デッキ
１５１  リフタ
１５２  給紙ローラ
１５３  マルチ手差し
１５４  排紙フラッパ
１５５  反転パス
１５６  再給紙トレイ
１５７  多重フラッパ
１５８  下搬送パス
１５９  給紙ローラ
１６１  排出ローラ
１６２  第１の送りローラ
１６２ａ  第２の送りローラ
１６３  反転ローラ
【図１】
0004416264.tif 000002
【図２】
0004416264.tif 000003
【図３】
0004416264.tif 000004
【図４】
0004416264.tif 000005
【図５】
0004416264.tif 000006
【図６】
0004416264.tif 000007
【図７】
0004416264.tif 000008
【図８】
0004416264.tif 000009
【図９】
0004416264.tif 000010
【図１０】
0004416264.tif 000011
【図１１】
0004416264.tif 000012
【図１２】
0004416264.tif 000013
【図１３】
0004416264.tif 000014
【図１４】
0004416264.tif 000015
【図１５】
0004416264.tif 000016